(57)【要約】【課題】始動条件が成立することにより液晶表示器等の図柄変動表示器に図柄が変動表示され、偶然性をもって所定の確率で所定図柄にて停止すると大当たり状態となり多数の遊技球を獲得できる遊技機であって、常に期待感をもって遊技でき、遊技者に充分な興味を与え続けられるようにする。【解決手段】始動条件が成立することにより図柄変動表示器２の図柄が変動を開始し、該変動には所定の大当たり図柄にて停止することで大当たりを発生させる種々の大当たりパターンと、大当たりを発生させない種々のハズレパターンとがある遊技機において、ハズレパターンの内にはチャンスタイム突入パターンがあり、該チャンスタイム突入パターンが表示された場合はチャンスタイムとなって次回以降に図柄が変動したときに遊技者にとって有利となる特典の付与が約定されるようにする。【選択図】　図３
2004008568.tif 000002
【特許請求の範囲】
【請求項１】
始動条件が成立することにより図柄変動表示器の図柄が変動を開始し、該変動には所定の大当たり図柄にて停止することで大当たりを発生させる種々の大当たりパターンと、大当たりを発生させない種々のハズレパターンとがある遊技機において、ハズレパターンの内にはチャンスタイム突入パターンがあり、該チャンスタイム突入パターンが表示された場合はチャンスタイムとなって次回以降に図柄が変動したときに遊技者にとって有利となる特典の付与が約定されるようにしたことを特徴とする遊技機。
【請求項２】
始動条件が成立することにより図柄変動表示器の図柄が変動を開始し、該変動には所定の大当たり図柄にて停止することで大当たりを発生させる種々の大当たりパターンと、大当たりを発生させない種々のハズレパターンとがあり、さらに大当たりを発生させる大当たり図柄には特定図柄と非特定図柄とがあり、特定図柄にて大当たりを発生させたときは次にまた図柄が変動したときに遊技者にとって有利となる特典の付与が約定されるようにした遊技機において、種々のハズレパターンの内にはチャンスタイム突入パターンがあり、該チャンスタイム突入パターンが表示された場合はチャンスタイムとなって次回に図柄が変動したときに大当たり図柄として前記特定図柄が表示される確率が高くなるように設定したことを特徴とする遊技機。
【請求項３】
チャンスタイムは図柄の変動が所定回数行われたことをもって終了するようにした請求項１または２に記載の遊技機。
【発明の詳細な説明】
【０００１】
【発明の属する技術分野】
本発明は、始動条件が成立することにより液晶表示器等の図柄変動表示器に図柄が変動表示され、偶然性をもって所定の確率で所定図柄にて停止すると大当たり状態となり多数の遊技球を獲得できるようにしたパチンコ機等の遊技機に関するものである。
【０００２】
【従来の技術】
いわゆる第１種パチンコ遊技機は、周知のように、遊技盤面にカラー液晶表示器，ＣＲＴ等の図柄変動表示器が設けられ、遊技者の打った打球がチューリップ型の始動口に入ると、該図柄変動表示器に１〜８の数字および☆◆◎等の記号またはキャラクター等の図柄が夫々上下または左右に流れる如くに複数列（通常は３列）にて変動表示され、その表示の変動は数秒後に順に停止し、その停止図柄が所定の確率（１／３００程度）で偶然性をもって例えば「２２２」，「７７７」，「☆☆☆」のように予め定められた所定図柄となった場合に大当たり状態となって、可変入賞装置（大入賞口）の開閉扉がソレノイドの作動により開成状態となり、その開成状態の可変入賞装置に打球が所定個数（通常は１０個）入球するか、または開成状態で所定制限時間（通常は３０秒）が経過すると、いわゆる第１ラウンドが終わって該可変入賞装置は一旦は閉じるが、この第１ラウンド中に該可変入賞装置内に設けられている継続入賞口（Ｖゾーンと称される）に打球が入球していた場合には第２ラウンドが始まってすぐにまた該可変入賞装置が開かれ、開成状態となった可変入賞装置にまた打球が所定個数（通常は１０個）入球するか、または開成状態で所定制限時間（通常は３０秒）が経過すると、第２ラウンドが終わって該可変入賞装置はまた閉じるが、その第２ラウンド中にまた継続入賞口に打球が入球していた場合には第３ラウンドが始まりすぐにまた該可変入賞装置が開かれ、こうして各ラウンド中に継続入賞口に打球が入賞したことを条件として最終ラウンド（例えば第１６ラウンド）になるまで該可変入賞装置が継続的に開かれ、このような大当たり状態であるときに多数の景品球を取得できることから遊技者に多くの利益がもたらされるように構成したものである。
【０００３】
また、この種の遊技機では、「３３３」「５５５」「７７７」等の奇数図柄（以下、「特定図柄」という）で大当たりした場合に、その大当たり状態の終了後における次回からの大当たり発生の確率を例えば通常の１／３００から１／６０に上昇させ（業界では「確変」と称している）たり、前記チューリップ型の始動口の開成時間を通常の０．５秒間から２秒間に延長（業界では「時短」と称している）して始動条件が成立し易くする等の特典が与えられるようにし、大当たり状態が終了した後も遊技者にとって有利な状況（以下、「特典」という）が続くようにしたものが知られている。なお、従来の遊技機ではこの特定図柄にて大当たりが発生する割合と、非特定図柄にて大当たりが発生する割合とは半々に設定されていた。
【０００４】
【発明が解決しようとする課題】
このため、従来の遊技機における遊技者の関心事は、大当たりを発生させることと、特定図柄にて大当たりを発生させることにつきるものであり、遊技として非常に単純であった。特定図柄にて大当たりが発生する割合と、非特定図柄にて大当たりが発生する割合とは常に一定であったので、特典付与に対する期待感も常に一定で変化のないものであった。このため、従来の遊技機は遊技者に持続的な期待感を与え難いものであった
本発明はこのような課題を解決し、常に期待感をもって遊技でき、遊技者に大いに興味を与えられる遊技機を提供しようとするものである。
【０００５】
【課題を解決するための手段】
そのために本発明は、始動条件が成立することにより図柄変動表示器の図柄が変動を開始し、該変動には所定の大当たり図柄にて停止することで大当たりを発生させる種々の大当たりパターンと、大当たりを発生させない種々のハズレパターンとがある遊技機において、ハズレパターンの内にはチャンスタイム突入パターンがあり、該チャンスタイム突入パターンが表示された場合はチャンスタイムとなって次回以降に図柄が変動したときに遊技者にとって有利となる特典の付与が約定されるようにしたことを特徴とする。
また本発明は、始動条件が成立することにより図柄変動表示器の図柄が変動を開始し、該変動には所定の大当たり図柄にて停止することで大当たりを発生させる種々の大当たりパターンと、大当たりを発生させない種々のハズレパターンとがあり、さらに大当たりを発生させる大当たり図柄には特定図柄と非特定図柄とがあり、特定図柄にて大当たりを発生させたときは次にまた図柄が変動したときに遊技者にとって有利となる特典の付与が約定されるようにした遊技機において、種々のハズレパターンの内にはチャンスタイム突入パターンがあり、該チャンスタイム突入パターンが表示された場合はチャンスタイムとなって次回に図柄が変動したときに大当たり図柄として前記特定図柄が表示される確率が高くなるように設定したことを特徴とする。
また本発明は上記遊技機において、チャンスタイムは図柄の変動が所定回数行われたことをもって終了するようにしたことを特徴とする。
【０００６】
【発明の実施の形態】
次に発明の実施形態をパチンコ遊技機について説明する。図１にパチンコ遊技機の遊技盤１の正面を示し、図中、２は該遊技盤１上に設けられたカラー液晶表示器からなる図柄変動表示器、３は普通入賞口、４は通過ゲート、５はソレノイドにより一対の羽根が開閉動し得るように設けられたチューリップ型の始動口、６は上部天入賞口である。７は該始動口５の下方に設けられた大きな長方形状の大入賞口からなる可変入賞装置で、該可変入賞装置７にはソレノイドの作動により開閉動する開閉扉８が設けられ、該可変入賞装置７内には継続入賞口９が設けられている。なお、１０は図柄変動表示器２が変動表示中に始動口５に打球が入賞した場合にその個数を記憶し始動を保留するために設けた４つの保留表示ランプ、１１は通過ゲート４を打球が通過することにより変動開始する普通図柄変動表示器（７セグメントデジタル表示装置）、１２は該普通図柄変動表示器１１が変動表示中に通過ゲート４に打球が通った場合にその個数を記憶し該普通図柄変動表示器の変動表示を保留するために設けられた４つの保留表示ランプ、１３は装飾ランプである。
【０００７】
図２はＣＰＵ，ＲＯＭ，ＲＡＭ，Ｉ／Ｏからなる制御基板１５に接続される本発明に関連する入出力機器を示したブロック図で、２０は通過ゲート４を通過した打球を検出する通過検出スイッチ、２１は始動口５に入賞した打球を検出する始動スイッチ、２２は前記可変入賞装置７への入賞球を計数するカウントスイッチ、２３は前記継続入賞口９への入賞球を検出する特定領域スイッチであり、該遊技制御基板にはさらに前記図柄変動表示器２と、保留表示ランプ１０，１２と、普通図柄変動表示器１１と、装飾ランプ１３と、可変入賞装置７の開閉扉８を開閉動させるソレノイド２５と、始動口５の羽根を開閉動させるソレノイド２６が接続されている。
【０００８】
次に図３のフローチャートに従い上記請求項１，２に記載の発明の特徴とするところを説明する。ステップａにて始動スイッチ２１により始動口５への遊技球の入賞が検知され始動条件が成立すると、ステップｂにて大当たり判定用乱数を取得して大当たり判定処理をし、大当たりであった場合はステップｃからステップｄに移行してさらにチャンスタイム中であるかどうかを判別し、チャンスタイム中でない場合はステップｅに移行し表１に例示した図柄選択テーブルから大当たりパターンを選択し、チャンスタイム中であった場合はステップｆに移行し表２に例示した図柄選択テーブルから大当たりパターンを選択する。
【表１】
2004008568.tif 000003
【表２】
2004008568.tif 000004
【０００９】
表１は通常時に選択される大当たり図柄選択テーブルで、「１１１」，「２２２」，「３３３」〜「７７７」まで７種類の大当たり図柄が用意され、その内の１つが選択される。このため、いま仮に「７７７」だけを特定図柄としその他を非特定図柄に予め決められていたとすると、「７７７」の特定図柄が選択される確率は表１では１／７である。一方、表２はチャンスタイム中に選択される大当たり図柄選択テーブルで、「１１１」，「２２２」，「７７７」〜「７７７」の７種類の大当たり図柄が用意され、その内の１つが選択されことで、「７７７」の特定図柄が選択される確率は５／７の高確率となる。
【００１０】
そして、ステップｇにて図柄変動表示器２にここで選択された大当たりパターンが表示され図柄が変動停止して上記確率にて「７７７」の特定図柄またはその他の非特定図柄が大当たり図柄として停止表示される。そしてステップｉにて可変入賞装置７の開閉扉８が進行次第で数ラウンドまで継続的に開かれ、多数の景品球を取得できるようになる。そして、この大当たり状態が終了すると、上記大当たり図柄が特定図柄であった場合は、その大当たり状態の終了後における次回からの大当たり発生の確率を通常の１／３００から１／６０に上昇させるとともに、始動口５の開成時間を通常の０．５秒間から２秒間に延長して始動条件が成立し易くする等の特典が与えられ、大当たり図柄が非特定図柄であった場合はこのような特典は与えられない。
【００１１】
また、上記ステップｃにて大当たりでなかった場合はステップｃからステップｋに移行し、種々のハズレパターンがストックされたハズレパターンテーブルから１つのハズレパターンが選択され、ステップｌ，ｍにて図柄変動表示器２にそのハズレパターンが表示されるとともに、ステップｎにてそのハズレパターンがチャンスタイム突入パターンかどうかの判定がなされ、チャンスタイム突入パターンであった場合はステップｏにてチャンスタイム設定がなされ、そのフラグが前記ステップｄにおけるチャンスタイム中か否かの判別に供される。
【００１２】
なお、上記チャンスタイム設定では、例えば変動回数３０回といった具合にリミット設定がなされ、図柄の変動回数をカウントしその変動回数が設定回数に達した時点でチャンスタイムが終了するようにしている。ちなみに、図４はこの遊技機におけるチャンスタイムと大当たり発生確率の変動を示したタイムチャートである。
【００１３】
また、図柄変動中に例えば所定のキャラクタが表示されたり、いわゆるスーパーリーチであったり大当たりの発生を予感させる予告演出がなされるようにした遊技機（今日の遊技機はその殆どの機種がこのような予告演出をしている）において、チャンスタイムとなると次回以降に予告演出がされたときの大当たり発生の確率を通常の予告演出がされたときよりも高く設定するものである。即ち、チャンスタイム設定により次回以降の予告演出の信頼度が高められるようにすることもできる。
【００１４】
また、特典内容として、チャンスタイム突入後、図柄変動が例えば１０回行われる間に必ず１回はスーパーリーチ（通常のリーチ態様と比べて図柄表示が拡大されたりキャラクタが表示されたり、或いはランプが点滅したりすることで期待度がより高められること）が出現するようにし、大当たり発生確率を上昇させるようにすることもできる。
このようにチャンスタイムにより遊技者に約定される遊技者にとって有利となる特典には種々の形態があり得る。
【００１５】
そしてこのようにチャンスタイムに突入することで、大当たりが発生すれば一定期間遊技者にとって有利な状況となるので、遊技を続けることの楽しみが遊技者に与えられる。
また、チャンスタイム中であることを遊技者に表示することで、途中でこの遊技をやめることのないようにアッピールすることも可能である。
【００１６】
なおこの実施形態はパチンコ遊技機について説明したが、スロットマシン等でも本発明を適用することができる。その場合、遊技球に代えてメダル等の遊技媒体が使用されることは言うまでもない。
【００１７】
【発明の効果】
このように本発明は、ハズレパターンの内にチャンスタイム突入パターンがあるようにし、このチャンスタイム突入パターンが表示された場合はチャンスタイムとなって次回以降に図柄が変動したときに遊技者にとって有利となる特典の付与が約定されるようにしたので、遊技者は常に期待感をもって遊技でき、この種の遊技機の興趣を増大させる顕著な効果がある。
【図面の簡単な説明】
【図１】本発明の実施形態を示すパチンコ遊技機の遊技盤の正面図。
【図２】本発明の実施形態を示すパチンコ遊技機のブロック図。
【図３】本発明の実施形態を示す遊技機のフローチャート。
【図４】本発明の実施形態を示す遊技機のタイムチャート。
【符号の説明】
１　　　　　遊技盤
２　　　　　図柄変動表示器
５　　　　　始動口
７　　　　　可変入賞装置
【図１】
2004008568.tif 000005
【図２】
2004008568.tif 000006
【図３】
2004008568.tif 000007
【図４】
2004008568.tif 000008